(57)【要約】【課題】従来の店頭販売されるネーム浸透印は、多数の姓に対応するため同姓では印影が同一又は限定された書体の量産品となる。このため好みの印影のネーム浸透印は、店頭販売品ではほとんど入手できない。また、本人以外が同姓の同一印影のネーム浸透印を容易に購入し捺印できるので、捺印の信頼性は非常に低く、重要書類には使用できない。【解決手段】これらの課題を解決するため、多孔質印字体を中央印影との位相を判別可能としたデザインの印影枠部分を分担する外周部とこの外周部の内側に任意の位相で圧入される中央印影を分担する中央部とに分割したネーム浸透印とする。分割された印字体以外は従来の構造とする。印影枠デザインと中央印影の書体は多数のタイプを標準化する。この方法によれば店頭販売品の組み合わせで、好みの書体の印影を持つ手彫り印に近い信頼性のあるネーム浸透印を入手出来る。【選択図】  図1
2011005698.tif 000002
【特許請求の範囲】
【請求項１】
インキを吸蔵するとともに印面にインキを滲出させるための連続気泡を持つ多孔質印字体1を、印影枠の部分を分担する外周部11と印影枠内の中央印影を分担する中央部12とに分割し、中央部12を外周部11に圧入して印字体1とする印字体分割式ネーム浸透印。
【請求項２】
印影枠のデザインを中央印影との位相が判別可能とするとともに、中央部12を外周部11に任意の位相で圧入可能な請求項1記載の印字体分割式ネーム浸透印。
【請求項３】
外周部11を圧入用底付穴13を持つ柱状体とし、中央部12の軸断面を内部側を印面側より大きくした請求項1又は2記載の印字体分割式ネーム浸透印。
【発明の詳細な説明】
【技術分野】
【０００１】
本発明は、連続気泡を有する多孔質印字体に吸蔵させたインキを印面に滲出させることによりインキを補給することなく連続捺印が可能なネーム浸透印に関する。
【背景技術】
【０００２】
従来のネーム浸透印には、インキを吸蔵するとともに印面にインキを滲出させるための連続気泡を持つ多孔質印字体が使用され、この印面による印影は印影枠と姓名等を表示する中央印影（以下中央印影という）とで構成され一体のものとされている。これ以外に、社名・住所等を捺印する事務用の組み合わせ浸透印や、印影枠と中央陰影を複数の位相で随時組み合わせて使用する浸透式でない印鑑もある。
【先行技術文献】
【特許文献】
【０００３】
【特許文献１】特開2002-248842                組み合わせ印
【特許文献２】実用新案登録  第3072710号      八卦暗号印鑑
【発明の概要】
【発明が解決しようとする課題】
【０００４】
従来の店頭販売されるネーム浸透印は  極めて多種の姓に対応するため印影はネーム浸透印の多孔質印字体等を保持するホルダー（以下ホルダーという）の種類毎に同一又は限定された種類の書体の量産品とならざるを得ない。したがって、ホルダーと印影に対する店頭購入者の選択の余地は少なく、好みの印影を持つネーム浸透印を店頭で購入することはほとんど出来ない。また、本人以外が同姓名の量産された同一印影のネーム浸透印を店頭で購入し捺印することも容易に可能であるため、店頭販売されるネーム浸透印の捺印に対する信頼性は低いものとなり、重要書類への捺印には使用できない欠点がある。
【課題を解決するための手段】
【０００５】
本発明は、上記のような課題に鑑みその課題を解決すべく創案されたものであって、印影を印影枠と中央印影とに分割しておのおのに多数のパターンを標準化し、これらに対する印面を持つ多孔質印字体を購入者が店頭購入可能とする。また、購入後に印影枠と中央印影を任意の位相に設定可能とする。
【０００６】
これらの課題を解決するための手段として、多孔質印字体1を印面の印影枠部分を分担する外周部11とこの外周部の内側に装着され中央印影を分担する中央部12とに分割したネーム浸透印とする。印影枠デザインと中央印影の書体はおのおの多数のタイプを標準化し、この印面を持つ外周部11と中央部12を分離して店頭販売する。また、印影枠のデザインは、中央印影との位相が判別可能なデザインとする。印影枠を位相判別の出来ない円形としてもよいが、この場合の効果は好みの印影の選択のみとなる。
【０００７】
印字体は多孔質の軟らかい弾性体であるため、外周部11の形状を薄肉のリング状としたときは中央部12を圧入したり逆に外周部11を中央部12に被せることが困難になる。これに対しては外周部11を圧入用底付穴13を持つ柱状体として中央部12を圧入し易くする。中央部12の軸断面は内部側を印面側より少し大きい円錐状とし、圧入後は抜け難くする。圧入用底付穴13は、半径方向断面を円形とし印影枠と中央印影との位相が任意に設定可能とする。分割された多孔質印字体1以外は、従来のネーム浸透印の構造とする。なお、店頭販売時には外周部11と中央部12とにはインキを吸蔵させず、印字体組み立て時にインキによる手の汚れを防止する。
【発明の効果】
【０００８】
本発明によれば、ホルダー2と外周部11とは姓名を表示する中央部12から分離されてい  るため、販売店では従来のように多種類の姓に対応した在庫を持つ必要が無い。このた  め従来に比較して多種類のデザインのホルダー2、多種類のデザインの印影枠の外周部  11、及び、多種類の書体の中央印影の中央部12を標準在庫し易くなり、購入者の店頭購  入時の選択の範囲が拡大する。したがって、購入者は店頭販売された標準品の組み合わ  せで好みの印影のネーム浸透印を容易に入手できる。また、印影枠と中央印影の位相差  により同一姓名でもほとんど同一印影のないネーム浸透印を入手できるので、本発明の  ネーム浸透印の捺印に対する信頼性は手彫り印に近いものとなり、捺印書類の信頼性が  向上する。また、購入者が好みの印影を持つネーム浸透印を簡単かつ安価に入手できる  ので、従来の承認・確認の用途だけでなく、ホビー用途や記念品用途にネーム浸透印の  用途が拡大し易くなる。
【図面の簡単な説明】
【０００９】
【図１】本発明の印字体分割式ネーム印の説明図(断面図)である。
【発明を実施するための形態】
【００１０】
以下に示すように、用途に応じて店頭販売の標準品の外周部11と中央部12とを組み合わせて使用する。ホルダー2は、店頭販売の標準品の中から選択する。
【実施例１】
【００１１】
1)確認・承認用 (ビジネス用、及び、個人用)
多種類の店頭販売される標準品の外周部11と中央部12の中から選択し、中央部12を外周部11の圧入用底付穴13に任意の位相で圧入する。外周部11の印影枠デザインは、ビジネス用では組織グループ又は職位別に統一させれば視認効果が向上する。このネーム浸透印を捺印すれば、捺印者が明確に事実上特定され、捺印書類は手彫り印捺印に近い信頼性にまで向上する。ホルダー2は、複数の店頭販売される標準品の中から職位や使用者の好みに応じて選択することが出来る。
【実施例２】
【００１２】
2)ホビー用
基本的には確認・承認用と同一であるが、外周部11の印影枠のデザインを幾何学的なデザインだけでなく、動植物、キャラクター等をモチーフしたデザインも標準品とする。ホルダー2は複数の店頭販売される標準品の中から使用者の好みに応じて選択することが出来る。
【実施例３】
【００１３】
3)記念品用
ホルダー2や外周部11が店頭販売の標準品とはならないが、ホルダー2の表面に記念の内容表示をするだけでなく、印影枠デザインを学校・卒業年次等で統一し、卒業生が各自に好みの中央印影を選択すれば好適な卒業記念品となる。他の記念品用途では、印影枠デザインを該当記念にふさわしいデザインとし中央印影の書体は各自が標準品から選択する。
【符号の説明】
【００１４】
1        多孔質印字体
11      多孔質印字体の外周部
11ａ       多孔質印字体の外周部の印面（印影枠分担部）
12       多孔質印字体の中央部
12ａ       多孔質印字体の中央部の印面（中央印影分担部）
13       多孔質印字体外周部の圧入用底付穴
14       インキ吸蔵体
2        ホルダー
【図１】
2011005698.tif 000003